(57)【要約】【課題】  ターボチャージャ（４）を有し、吸気管（３）にブローバイガスの合流部（１５）を設けたエンジンの吸気系や排気系の振動や騒音を抑制し、かつ強固に配置すること。【解決手段】  給気管（３）は弾性体を介してブラケット（１０、１１）に固着されて、フローティングマウント式に構成されブラケット（１０、１１）はボルト（Ｂ）でシリンダヘッド（２）に固定され、排気管（６）を支持するブラケット（７）はエキゾーストシャッタ（５）の上流側の排気管（６）を支持するリブ（２１）を有している。【選択図】図１
2005214156.tif 000002
【特許請求の範囲】
【請求項１】
ターボチャージャを備え、吸気系にブローバイガスの合流部を設けたエンジンの吸気系の構造において、シリンダヘッドにボルトを介してブラケットを取付け、そのブラケットに弾性体を介して吸気管の取付座が取付けられていることを特徴とするエンジンの吸気系の構造。
【請求項２】
吸気管に設けたブローバイガスの合流部は、吸気管の中心線に対して合流部の軸線は傾斜している請求項１記載のエンジンの吸気系の構造。
【請求項３】
ブローバイガスの取付部の断面積より大きい大径部が前記合流部に形成されている請求項２記載のエンジンの吸気系の構造。
【請求項４】
ターボチャージャおよびエキゾーストシャッタを備えたエンジンの排気系の構造において、排気管を支持するために、エンジンのシリンダブロックに取付けたブラケットがエキゾーストシャッタを支持する上部板体と、エキゾーストシャッタの下流側の排気管を支持するために前記上部板体から突出する突出部とを備え、さらにエキゾーストシャッタの上流側の排気管を支持するためのリブを有し、そのリブの上方部分は排気管を支持し、下方部分は他の部品との干渉を避けるために傾斜していることを特徴とするエンジンの排気系の構造。
【請求項５】
ターボチャージャを備え、吸気系にブローバイガスの合流部を設けたエンジンの吸気系および排気系の構造において、シリンダヘッドにボルトを介してブラケットを取付け、そのブラケットに弾性体を介して吸気管の取付座が設けられ、シリンダブロックに取付けたブラケットがエキゾーストシャッタを支持する上部板体と、エキゾーストシャッタの下流側の排気管を支持するために、前記上部板体から突出する突出部とを備え、さらにエキゾーストシャッタの上流側の排気管を支持するためのリブを有し、そのリブの上方部分は排気管を支持し、下方部分は他の部品と干渉を避けるために傾斜していることを特徴とするエンジンの吸気系および排気系の構造。
【発明の詳細な説明】
【技術分野】
【０００１】
本発明はエンジンの吸気系および排気系の構造に関し、特にターボチャージャを備え、そして吸気系にブローバイガスの合流部を設けたエンジンの吸気系および排気系の構造に関する。
【背景技術】
【０００２】
周知の通り、エンジンの吸気系は吸気管や吸気マニホルドを含み、そして排気系は排気管や排気マニホルドを含み、また、ターボチャージャを備えている。
一般に吸気管や排気管はエンジンのシリンダヘッドやシリンダブロックに固定されており、エンジン自体にボルト穴等を設けることは強度上好ましくないこともあり、固定位置が制限される。
また、エンジンの振動が伝達され共振を生じたり、騒音の発生原因となる。
【０００３】
図７は従来のエンジンの吸気系および排気系の構造の概要を示し、図においてシリンダブロック１の上部にはシリンダヘッド２が取付けられ、そのシリンダヘッド２の上部に吸気管３が取付けられ、その吸気管３にはターボチャージャ４が設けられている。
他方、エキゾーストシャッタ５を有する排気管６はシリンダブロック１に取付けたブラケット７を介して支持されている。また図中８は排気還流（ＥＧＲ）管である。
【０００４】
吸気管や排気管の振動を抑制するために弾性体を介して取付ける技術は種々知られている。
【特許文献１】特開平８−７４５６９号公報
【特許文献２】特開平１１−２８０５７２号公報
【特許文献３】特開平１１−３０１２８８号公報
【０００５】
エンジンの周囲は種々の補機が設置されており、そのために排気管を支持するブラケットは丈夫で、かつシリンダブロックの強度を弱めないでシリンダブロックに取付けられねばならない。また、シリンダヘッドをまたいで配置され、そしてシリンダヘッドに固定されている吸気管は、ブラケットを締結するためのボルトに振動により応力が集中する傾向がある。
【発明の開示】
【発明が解決しようとする課題】
【０００６】
したがって、本発明の目的は、エンジンに対して丈夫でかつ振動を抑制して取付けることのできるエンジンの吸気系および排気系の構造を提供するにある。
本発明の他の目的は、エンジンのシリンダブロックの強度を弱めることなく排気管を強固にエンジンのシリンダブロックに取付けることのできるエンジンの排気系の構造を提供するにある。
本発明の別の目的は、吸気管の振動を抑制できるエンジンの吸気管の構造を提供するにある。
本発明のさらに他の目的は、吸気管に吸引されるブローバイガスを好適に導入できるエンジンの吸気管の構造を提供するにある。
【課題を解決するための手段】
【０００７】
本発明によれば、ターボチャージャ４を備え、吸気系にブローバイガスの合流部１５を設けたエンジンの吸気系の構造において、シリンダヘッド２にボルトＢを介してブラケット１０、１１を取付け、そのブラケット１０、１１に弾性体を介して吸気管３の取付座１３、１４が取付けられている（請求項１）。
【０００８】
また本発明によれば、吸気管３に設けたブローバイガスの合流部１５は、吸気管３の中心線０に対して合流部１５の軸線は傾斜θしている（請求項２）。
【０００９】
さらに本発明によれば、ブローバイガスの取付部１７の断面積より大きい大径部１６が前記合流部に形成されている（請求項３）。
【００１０】
そして本発明によれば、ターボチャージャ４およびエキゾーストシャッタ５を備えたエンジンの排気系の構造において、排気管６を支持するために、エンジンのシリンダブロック１に取付けたブラケット７がエキゾーストシャッタ５を支持する上部板体２５と、エキゾーストシャッタ５の下流側の排気管６を支持するために前記上部板体２５から突出する突出部２５ａとを備え、さらにエキゾーストシャッタ５の上流側の排気管６を支持するためのリブ２１を有し、そのリブ２１の上方部分２１ｃは排気管６を支持し、下方部分２１ａは他の部品との干渉を避けるために傾斜している（請求項４）。
【００１１】
また本発明によれば、ターボチャージャ４を備え、吸気系にブローバイガスの合流部１５を設けたエンジンの吸気系および排気系の構造において、シリンダヘッド２にボルトＢを介してブラケット１０、１１を取付け、そのブラケット１０、１１に弾性体を介して吸気管３の取付座１３、１４が設けられ、シリンダブロック１に取付けたブラケット７がエキゾーストシャッタ５を支持する上部板体２５と、エキゾーストシャッタ５の下流側の排気管６を支持するために、前記上部板体２５から突出する突出部２５ａとを備え、さらにエキゾーストシャッタ５の上流側の排気管６を支持するためのリブ２１を有し、そのリブ２１の上方部分２１ｃは排気管を支持し、下方部分２１ａは他の部品と干渉を避けるために傾斜している（請求項５）。
【発明の効果】
【００１２】
従来は吸気管に対し、ブラケットをボルト締めし、そのブラケットを弾性体を介してシリンダヘッドに固定していたが、本発明ではブラケットはボルトでシリンダヘッドに固着され、吸気管が弾性体を介してブラケットにいわゆるフローティングマウント構造で取付けられているので、ボルトの締結個所に応力集中が生じない。すなわち、吸気管のみがフローティングマウントされているので、その分だけ振動する重量が減少し、騒音が少ない。
【００１３】
またブローバイガスの合流部が吸気管の軸線に対して傾斜して流れるようになっているので、ブローバイガスの流入が円滑であり、また大径部により、水分を含むブローバイガスが寒冷時（例えば−４０℃）で吸気によって凍結しても、ブローバイガスの流れを妨げない。
【００１４】
また、吸気管からのエアコンプレッサの空気取入口がブローバイガスの合流部の上流側に設けてあるので、エアコンプレッサに綺麗な空気を供給でき、ブローバイガスの混入がない。
【００１５】
排気管のエキゾーストシャッタの上流側、すなわちターボチャージャの近くで、排気管がリブで支持されるので、重いターボチャージャの支持も確実となる。特にブラケットをシリンダブロックに取付けるためのボルト数は同じであり、エンジン自体の強度の低下がない。
【発明を実施するための最良の形態】
【００１６】
以下図面を参照して本発明の実施例を説明する。
図１、図２は本発明を実施した吸気管を配置した所が示されている。
【００１７】
図１に示されているようにシリンダヘッド１の側面にはそれぞれ第１のブラケット１０と第２のブラケット１１とがボルトＢで固定されている。そして第１のブラケット１０の上端は弾性体（図示せず）を介して吸気管３に一体に設けた取付座１３に例えば図示しないボルトナットにより固定されている。第２のブラケット１１は吸気管３に一体に設けた別の取付座１４に弾性体（図示せず）を介して前記のボルトＢで第２のブラケット１１と共に共締めされている。
【００１８】
このように吸気管３のいずれの取付座１３、１４に弾性体を介在させることにより、余分な重量物の振動がなくなり、また取付応力を低減でき、組立てが容易となる。特に第１のブラケットはシリンダヘッド１の取付部分から上方に伸びる部分１０ａを有しており、高さがあるので、この上方に伸びる部分１０ａに弾性体を介在させることにより、振動の吸収効果が大きい。
【００１９】
図２によく示されているように、吸気管３には矢印１５で示す通り、ブローバイガスの合流部が形成されている。この合流部１５は吸気管１５の軸線Oと角度θで取付けられている大径部１６を備え、ブローバイガスパイプの取付部１７はその大径部１６より小径である。図中符号１８はエアーコンプレッサへの空気取入口であり、ブローバイガス合流部１５より上流に設けられ、エアコンプレッサにはきれいな空気が流入するようになっている。
【００２０】
周知の通り、吸気管３内は負圧であり、ブローバイガスは正圧である。したがって、合流部１５を吸気管３に対して直角に取付けるとブローバイガスの流入により吸気管３内の流れを妨げることになる。この傾斜角度θは１５度ないし７５度が好ましく、１５度以下ではブローバイガスの流入が円滑でなく、また７５度以上では吸気管３内の空気の流れの妨げとなる。
【００２１】
寒冷地においては、空気温度が非常に低く、例えば−４０℃のような場合、ブローバイガスは水分を含んでいるので、合流部１５で水分が凍結して、流路を閉塞するおそれがある。したがって、大径部１６を設けてあるので、氷で閉塞される時間が長くなると共に、完全に閉塞しないようにしてある。
【００２２】
次に図３、図４、図５および図６を参照して、本発明を実施した排気管６の配置について説明する。
図３に示されているようにシリンダブロック１に後述の態様で取付けられたブラケット７は、排気管６に取付けたターボチャージャ４の下流側を支持するようになっており、エキゾーストシャッタ５の付近に設けられている。
【００２３】
図４、図５、図６に示されているように、ブラケット７はシリンダブロック１に取付ける平板状部分２０ａと後述の態様で排気管６を支持するための傾斜部分２０ｂとよりなる板状体２０を備え、その板状体２０にはほぼ直角方向外方に延びる４本のリブ２１、２２、２３、２４が取付けられている。
【００２４】
第１のリブ２１は下方から上方外側に傾斜している下部部分２１ａと上方に延びる上方部分２１ｂとを備え、その上方部分２１ｂは板状体２０よりもさらに上方に延びる取付部分２１ｃを有し、その取付部分２１ｃにはエキゾーストコネクタのフランジＦ（図３）に取付けるためのボルト穴２１ｄ、２１ｅが穿設されている。
この第１のリブ２１の下方部分２１ａが傾斜しているために強度を充分に保ち、かつほかの部品との干渉を防ぐことができる。
【００２５】
第２のリブ２２および第３のリブ２３は実質的に直線状に延び、その上部に上部板体２５が一体に形成されている。この上部板体２５は排気管６を支持するための突出部２５ａを有し、その突出部２５ａの一方の縁部は第４のリブ２４と一体に形成され、他方の縁部は第５のリブ２６と一体に形成され、この第５のリブ２６の下端は第３のリブ２３と一体的に固着されている。図示の通り、この第３のリブ２３は突出部２５ａを支持するために、彎曲している部分２４ａを有している。
【００２６】
板状体２０はその平板状部分２０ａにブラケット７をシリンダブロック１に取付けるための複数（図示の例では４つ）のボルト穴２７を有している。また突出部２５ａには排気管６の取付部にボルト締めするボルト穴２５ｂが穿設され、また上部板体２５の第２のリブ２２と第３のリブ２３との間にはエキゾーストシャッタ５の取付部を取付けるボルト穴２５ｃが穿設されている。ここで、ボルト穴２５ｂは排気管６を取付けるために設けられており、ボルト穴２５ｃはエキゾーストコネクタ３５を取付けるために設けられている。
【００２７】
このようにブラケット７に第１のリブ２１を設け、その上方で排気管６を支持し、かつそのリブ２１の下部部分２１ａは他の部品と干渉しないようにしたので、従来技術に対してボルト数の増加や格別の加工等をすることなく強固に排気管を支持できる。
【図面の簡単な説明】
【００２８】
【図１】本発明を実施した吸気管の取付状態を示す側面図。
【図２】図１の上面図。
【図３】本発明を実施した排気管の取付状態を示す正面図。
【図４】排気管を取付けるためのブラケットの正面図。
【図５】図４の側面図。
【図６】図４の上面図。
【図７】従来の吸気系および排気系を示す説明図。
【符号の説明】
【００２９】
１・・・シリンダブロック
２・・・シリンダヘッド
３・・・吸気管
４・・・ターボチャージャ
５・・・エキゾーストシャッタ
６・・・排気管
７・・・ブラケット
１０、１１・・・ブラケット
１３、１４・・・取付座
１５・・・合流部
１６・・・大径部
１７・・・取付部
１８・・・空気取入口
２０・・・板状体
２１、２２、２３、２４・・・リブ
２１ａ・・・下方部分
２１ｃ・・・取付部分
２１ｄ・・・ボルト穴
２５・・・上部板体
２５ａ・・・突出部
２６・・・リブ
２７・・・ボルト穴
【図１】
2005214156.tif 000003
【図２】
2005214156.tif 000004
【図３】
2005214156.tif 000005
【図４】
2005214156.tif 000006
【図５】
2005214156.tif 000007
【図６】
2005214156.tif 000008
【図７】
2005214156.tif 000009